(57)【要約】【課題】  液垂れが生じないカラス口形状の注ぎ口を備えた片手鍋をより使い易くするために、注ぎ方向性の改善、耐久性の向上、電磁調理器対応性の改善をなした片手鍋を提供する。【解決手段】  カラス口形状の注ぎ口を対向位置に設けてなる鍋本体に、扁平板状の金属製把手を両注ぎ口中間位置で鋲着してなり、特に鍋本体をフェライト系又はマルテンサイト系の磁性ステンレス鋼で形成し、金属製把手を非磁性ステンレス鋼で形成する。【選択図】  図１
0003105327.tif 000002
【実用新案登録請求の範囲】
【請求項１】
周壁における対向箇所に、注ぎ口をプレス押し出しで形成することができない大きさでＶ状に切除し、注ぎ口形状と対応する三角形状に折り曲げると共に、両辺部に鍔状縁部を形成した注ぎ口部材を、前記Ｖ状切除部に埋め合わせて溶着し、カラス口形状の注ぎ口を対向位置に設けてなる鍋本体に、扁平板状の金属製把手を両注ぎ口中間位置で鋲着してなることを特徴とする片手鍋。
【請求項２】
鍋本体をフェライト系又はマルテンサイト系の磁性ステンレス鋼で形成し、金属製把手を非磁性ステンレス鋼で形成した請求項１記載の片手鍋。
【請求項３】
金属製把手は、上面が凹んだ湾曲断面を備え、鍋本体側の基部が幅広となる末広がり形状で、且つ基部に前記末広がり形状に対応する細長三角形状の透孔を設けてなる請求項２記載の片手鍋。
【考案の詳細な説明】
【技術分野】
【０００１】
本考案は片手鍋に関するものである。
【背景技術】
【０００２】
片手鍋は、鍋本体に適宜な把手を装着してなるものであるが、一部の片手鍋は、鍋から容器に直接調理液体を注ぎ入れるための注ぎ口を、周壁に設けている。これらの注ぎ口を備えている鍋は、雪平鍋（陶製片手鍋）の系統を引いているために、木製の丸棒の把手をリング状金具を使用して鍋に取り付けているのが一般的である。
【０００３】
ところで鍋内の調理液体を容器に注ぎ入れるには、当然把手を握持し鍋本体を傾けて行わなければならない。然して把手が丸棒形状であるため、傾け操作が必ずしもスムーズにはいかない場合がある。例えば濡れていて手が滑ってしまう虞も充分にある。
【０００４】
そこで本件出願人は、プレス成形で外周に突出させた第一注ぎ口と、プレス押し出し不可能な大きさで周壁部分をＶカットし、三角形状の折り曲げ部材を溶着して形成したカラス口形状の第二注ぎ口とを対向位置に設けた鍋本体に、前記第一注ぎ口と第二注ぎ口の中間に、扁平板状の把手を装着してなる片手鍋を提案した（特許文献１）。
【０００５】
【特許文献１】登録実用新案第３０８１８８１号公報。
【考案の開示】
【考案が解決しようとする課題】
【０００６】
ところで、カラス口形状の注ぎ口は、水切りが良く、鍋本体内から他の容器に注いだ後の液垂れが生じ無く使用者に好評である。前記した特許文献で開示されている片手鍋は、一方がカラス口形状の注ぎ口で、他方がプレス形成の注ぎ口であるために、カラス口形状の注ぎ口の使用方向が制限される。
【０００７】
また前記公知の片手鍋の把手は、金属板の表裏に断熱板材を鋲結した構造であるが、近年自動食器洗い機が普及して、鍋も同機械で洗浄するようになってきたが、高温蒸気による洗浄であるため、把手の耐久性を低下させてしまうという問題が生ずる。
【０００８】
そこで本考案は前記の課題を鑑み、前記課題を解決する改良した片手鍋を提案したものである。
【課題を解決するための手段】
【０００９】
本考案に係る片手鍋は、周壁における対向箇所に、注ぎ口をプレス押し出しで形成することができない大きさでＶ状に切除し、注ぎ口形状と対応する三角形状に折り曲げると共に、両辺部に鍔状縁部を形成した注ぎ口部材を、前記Ｖ状切除部に埋め合わせて溶着し、カラス口形状の注ぎ口を対向位置に設けてなる鍋本体に、扁平板状の金属製把手を両注ぎ口中間位置で鋲着してなることを特徴とするものである。
【００１０】
而して従前の片手鍋同様に使用することができ、何れの側の注ぎ口を使用しての移し変えにおいても、液垂れが生じないカラス口形状の注ぎ口を使用することになる。また把手が金属製であり、自動食器洗浄機によって洗浄しても何らの支障も生じない。
【００１１】
また特に前記片手鍋において、鍋本体をフェライト系又はマルテンサイト系の磁性ステンレス鋼で形成し、金属製把手を非磁性ステンレス鋼で形成したことを特徴とするものである。
【００１２】
従ってガス燃焼熱や電熱など通常の加熱源の使用にも対応でき、また電磁調理器にも対応できる調理器具で、特に把手部分を非磁性体で形成することで、誤って把手部分を電磁調理器上に放置したとしても、把手部分が熱せられることが無い。更に鍋本体並びに金属把手に複合部材（電磁調理器対応のために、容器底部を複合積層構造とした部材）を使用する必要がなく、製造が容易である。
【００１３】
更に金属製把手は、上面が凹んだ湾曲断面を備え、鍋本体側の基部が幅広となる末広がり形状で、且つ基部に前記末広がり形状に対応する細長三角形状の透孔を設けてなることを特徴としたものである。
【００１４】
従って持ち易く、且つ透孔によって鍋本体から把手の手持ち箇所部分への伝熱の一部を阻止すると同時に、透孔による空気冷却効果もあり、手持ち箇所の温度上昇を抑えることができる。
【考案の効果】
【００１５】
本考案は、上記構成を備えた片手鍋で、何れの方向でも液垂れが生じないカラス口形状の注ぎ口を使用することができ、更に自動食器洗浄機を使用しても何ら問題が生じない使い易いものとしたものである。
【００１６】
また特に鍋本体をフェライト系又はマルテンサイト系の磁性ステンレス鋼で形成し、金属製把手を非磁性ステンレス鋼で形成することで（請求項２）、通常の加熱装置の他、特に電磁調理器で使い易くしてなり、且つ電磁調理器に対応する器具の製造が容易となったものであり、更に金属製把手の形状を、上面が凹んだ湾曲断面とし、且つ基部に前記末広がり形状に対応する細長三角形状の透孔を設けたもので（請求項３）、把手の手持ち箇所の温度上昇を抑え、使い易くしたものである。
【考案を実施するための最良の形態】
【００１７】
次に本考案の実施形態について説明する。実施形態に示した片手鍋は、基本的に従前の鍋と同様に鍋本体１と、把手２とで構成される。
【００１８】
鍋本体１は、  フェライト系又はマルテンサイト系の磁性ステンレス鋼で形成し、特に底部分を厚く形成した円形容器形状であり、周壁対向部分に第一注ぎ口１１と第二注ぎ口１２を設けてなる。
【００１９】
両注ぎ口１１，１２は、周壁における対向箇所に、注ぎ口をプレス押し出しで形成することができない大きさでＶ状に切除し、注ぎ口形状と対応するように先端を鋭角にして、注ぎ機能を高めて三角形状に折り曲げると共に、両辺部に鍔状縁部を形成した注ぎ口部材を、前記Ｖ状切除部ａに埋め合わせて溶着して、カラス口形状に形成したものである。尚鍋本体１の周壁面に、容量目盛りをプレス加工によって設けてなる。
【００２０】
把手２は、非磁性ステンレス鋼で形成したもので、鍋本体１の両注ぎ口１１，１２の中間の外周壁に鋲結してなるもので、上面が凹んだ湾曲断面を備えた細板形状で、鍋本体１側の基部が幅広となる末広がり形状で、且つ基部に前記末広がり形状に対応する細長三角形状の透孔２１を設けてなるものである。
【００２１】
而して前記片手鍋は、従前の片手鍋同様に使用することができ、注ぎ口１１又は他方の注ぎ口１２を使用することができるので、収納液体の移し変え作業が便利であり、また通常のガスコンロや電熱コンロ器具での使用の他電磁調理器にも対応できるものである。
【００２２】
更に把手を非磁性体ステンレスの金属製とすることで、耐久性に優れ、且つ電磁調理器使用に対して安全性を高め、また基部に細長三角形状の透孔を設けたことで、金属製把手を採用したことによって生ずる問題点である手持ち箇所の温度上昇を抑えることができたものである。
【図面の簡単な説明】
【００２３】
【図１】本考案の実施形態の全体斜視図。
【図２】同正面図。
【図３】同平面図。
【符号の説明】
【００２４】
１      鍋本体
１１，１２  注ぎ口
２      把手
２１    透孔
【図１】
0003105327.tif 000003
【図２】
0003105327.tif 000004
【図３】
0003105327.tif 000005